(57)【要約】【課題】組立家屋の組立てに用いる各部品の小型、軽量化を図ると共に、部品の搬送、組立てを台車やジャッキ等の機器を用いることなく少人数でしかも短時間で行い得るようにする。【解決手段】複数のパネルガイド本体を有するモジュールパネルガイド３と、該モジュールパネルガイド３に立設されると共に、モジュールパネルガイドのコーナ部において平面視で互いに角度をなして接続されるよう立設することにより自立可能な複数のモジュールパネル４，５と、該モジュールパネル４，５上に設置された複数の天井フレーム６，７と、天井フレーム６，７に搭載された複数の天井パネル８等と、工具或は指により操作してモジュールパネル同士を引寄せるよう締結する固定手段を備える。【選択図】        図２
2004324267.tif 000002
【特許請求の範囲】
【請求項１】
複数のパネルガイド本体を有するモジュールパネルガイドと、該モジュールパネルガイドに立設されると共に、モジュールパネルガイドのコーナ部において平面視で互いに角度をなして接続されるよう立設することにより自立可能な複数のモジュールパネルと、該モジュールパネル上に設置された複数の天井フレームと、該天井フレームに搭載された複数の天井パネルと、工具或は指により操作してモジュールパネル同士を引寄せるよう締結する固定手段を備えたことを特徴とする組立家屋。
【請求項２】
モジュールパネルガイドの複数のパネルガイド本体は周方向へ無端状に配置された請求項１に記載の組立家屋。
【請求項３】
モジュールパネルガイドのパネルガイド本体には、複数のモジュールパネルが周方向へ無端状に配置された請求項１又は２記載の組立家屋。
【請求項４】
モジュールパネルガイドのパネルガイド本体とモジュールパネルの係合部においては、パネルガイド本体及びモジュールパネルの一方に突条部が、又他方に該突条部に嵌合する溝状部が設けられた請求項１、２又は３記載の組立家屋。
【請求項５】
隣合うモジュールパネル同士の係合部において、一方のモジュールパネルには、上下に延在する嵌合部材が設けられ、他方のモジュールパネルには前記嵌合部材が嵌合する上下に延在する溝状部が設けられた請求項１、２、３又は４記載の組立家屋。
【請求項６】
コーナ部で角度を置いて隣合うモジュールパネル同士の係合部において、一方のモジュールパネルには、上下に延在する突条部が設けられ、他方のモジュールパネルには、前記突条部が嵌合する上下に延在する溝状部が設けられた請求項１、２、３、４又は５記載の組立家屋。
【請求項７】
モジュールパネルと天井フレームの係合部において、モジュールパネルの上辺部には、水平方向へ延在する溝状部若しくは突条部が設けられ、天井フレームの下端部には、前記溝状部若しくは突条部に嵌合するよう、水平に延在する突条部若しくは溝状部が設けられた請求項１、２、３、４、５又は６記載の組立家屋。
【請求項８】
天井フレームには空調手段で処理された空調空気を清浄化して室内に送給し得るよう、フィルタを設けた請求項１、２、３、４、５、６又は７記載の組立家屋。
【請求項９】
フィルタは高性能フィルタである請求項８記載の組立家屋。
【請求項１０】
シートには、該シートを４つに折畳んだ際にシートを間に置いて略平行に重なるよう、パネルガイド本体を貼設した請求項１、２、３、４、５、６、７、８又は９記載の組立家屋。
【請求項１１】
複数のパネルガイド本体を有するモジュールパネルガイドを床面に敷設する工程と、前記モジュールパネルガイドの少なくとも一つのコーナ部において、平面視で互いに角度をなして前記モジュールパネルガイドに立設されたモジュールパネルを、工具或は指により操作してモジュールパネル同士を引寄せるよう締結する固定手段により接続してモジュールパネルを倒れることなく自立するよう立設させると共に、順次他のモジュールパネルを前記モジュールパネルガイド上に立設させ、立設されたモジュールパネルを、工具或は指により操作してモジュールパネル同士を引寄せるよう締結する固定手段により接続する工程と、立設されたモジュールパネル上に複数の天井フレームを設置する工程と、該天井フレームに複数の天井パネルを搭載する工程とを経ることを特徴とする組立家屋の組立方法。
【発明の詳細な説明】
【０００１】
【発明の属する技術分野】
本発明は組立家屋及び該組立家屋の組立方法に関するものである。
【０００２】
【従来の技術】
従来から、室内空間にパネルを用いてクリーンルーム等の組立家屋を組立てることが行われている。而して、斯かる組立家屋に関連する先行技術文献情報としては、従来例えば、特許文献１、特許文献２、特許文献３がある。
【０００３】
【特許文献１】
特開平８−２００７６０号公報
【特許文献２】
特開平１０−２１２８７４号公報
【特許文献３】
特開２００２−９７８０８号公報
【０００４】
特許文献１においては、壁部を形成するパネルを組立てる際には、床面に固定した角材上にアルミ引抜き材の金具を当接して止付け、該金具のインサート部と天井グリッドに取付けた金具のインサート部の夫々にパネルを嵌込み、金具をボルト締結することにより、パネルの上下端は金具により挟持される。従って、パネルは、組立て時には自立状態で立設することはできず、立設するためには、下端部と上端部に金具が必要となる。
【０００５】
特許文献２においては、壁部を形成するパネルを組立てる際には、床面に固定した床レール上にアルミ引抜き材の幅木を当接させて止付け、該幅木のインサート部と天井に取付けた笠木のインサート部の夫々にパネルを嵌込む。従って、パネルの下端は幅木により挟持され、パネルの上端は笠木により挟持された状態で立設され。従って、その結果、パネルは組立て時には自立状態で立設することはできず、立設するためには、下端部を幅木により挟持し、上端部を笠木により挟持する必要がある。
【０００６】
特許文献３は、床に着脱自在に取付けられる幅木と、該幅木に着脱自在に取付けられる壁パネルと、該壁パネルの上部に着脱自在に取付けられる天井パネルとを備え、幅木、壁パネル及び天井パネルを夫々室内に搬入可能な大きさに複数に分割して組立て時に分割部分を着脱自在に接合した室内組立家屋である。
【０００７】
而して、特許文献３の壁パネルの幅方向の接合は、一方のパネルの端部に設けられたパネル厚さよりも薄い突出したスタッド材と、他方のパネルの表面材を嵌め合わせ、表面材とスタッド材をビスで止めることにより行う。この際表面材には開口が必要となる。この場合にも、パネルの組立て時にはパネルは幅木上に自立状態で立設することはできない。実際のところは断面Ｃ型のスタッド材が柱の役割を果たしており、全てのパネル及び副木はスタッド材にビス止めで止付けられる構造である。又、天井パネルの取付けは、天井補強パネルに取付けた天井アングルにビスにより取付けることにより行う。
【０００８】
なお、「自立状態で立設」とは、上下端を金具や幅木、笠木により押えなくともパネルが倒れることなく角材や床レール上に立設されることをいう。
【０００９】
【発明が解決しようとする課題】
上述の特許文献１〜特許文献３の場合には、パネルの組立て時には、パネルは自立できないため、何等かの手段によりパネルを立設させておかないと、幅方向へパネルを立設する際、パネルが倒れてしまい、組立てることが困難であると共に作業に時間が掛かる。
【００１０】
又、特許文献３の場合、幅方向へ隣合うパネルを組立てる際には、上述のように、一方のパネルの端部に設けられたパネル厚さよりも薄い突出したスタッド材と、他方のパネルの表面材を嵌め合わせ、表面材とスタッドをビスで止めることにより行うようにし、天井パネルは、天井補強パネルに取付けた天井アングルにビスにより取付けるようにしている。このため、ビスの取付けに時間を要し、又、分解組立て毎にビス孔がずれてしまい、再開口させざるを得ず、工具による孔開け工事が発生するため組立て作業に時間が掛かる。
【００１１】
本発明は、上述の実情に鑑み、組立家屋の組立てを容易且つ迅速に行うようにすると共に、簡単な構造の部品により部品同士を強固に固定し得るようにし、しかも、部品の搬送、組立てを台車やジャッキ等の機器を用いることなく少人数でしかも短時間で行い得るようにした組立家屋及び組立家屋の組立方法を提供することを目的としてなしたものである。
【００１２】
【課題を解決するための手段】
請求項１の組立家屋は、複数のパネルガイド本体を有するモジュールパネルガイドと、該モジュールパネルガイドに立設されると共に、モジュールパネルガイドのコーナ部において平面視で互いに角度をなして接続されるよう立設することにより自立可能な複数のモジュールパネルと、該モジュールパネル上に設置された複数の天井フレームと、該天井フレームに搭載された複数の天井パネルと、工具或は指により操作してモジュールパネル同士を引寄せるよう締結する固定手段を備えたものである。
【００１３】
請求項２の組立家屋においては、モジュールパネルガイドの複数のパネルガイド本体は周方向へ無端状に配置されている。
【００１４】
請求項３の組立家屋においては、モジュールパネルガイドのパネルガイド本体に、複数のモジュールパネルが周方向へ無端状に配置されたものである。
【００１５】
請求項４の組立家屋においては、モジュールパネルガイドのパネルガイド本体とモジュールパネルの係合部において、パネルガイド本体及びモジュールパネルの一方には突条部が、又他方には該突条部に嵌合する溝状部が設けられたものである。
【００１６】
請求項５の組立家屋においては、隣合うモジュールパネル同士の係合部において、一方のモジュールパネルに、上下に延在する嵌合部材が設けられ、他方のモジュールパネルには前記嵌合部材が嵌合する上下に延在する溝状部が設けられたものである。
【００１７】
請求項６の組立家屋においては、コーナ部で角度を置いて隣合うモジュールパネル同士の係合部において、一方のモジュールパネルに上下に延在する突条部が設けられ、他方のモジュールパネルに、前記突条部が嵌合する上下に延在する溝状部が設けられたものである。
【００１８】
請求項７の組立家屋においては、モジュールパネルと天井フレームの係合部において、モジュールパネルの上辺部に、水平方向へ延在する溝状部若しくは突条部が設けられ、天井フレームの下端部に、前記溝状部若しくは突条部に嵌合するよう、水平に延在する突条部若しくは溝状部が設けられたものである。
【００１９】
請求項８の組立家屋においては、天井フレームに、空調手段で処理された空調空気を清浄化して室内に送給し得るよう、フィルタが設けられている。
【００２０】
請求項９の組立家屋においては、フィルタは高性能フィルタである。
【００２１】
請求項１０の組立家屋においては、シートに該シートを４つに折畳んだ折畳んだ際にシートを間に置いて略平行に重なるよう、パネルガイド本体が貼設されている。
【００２２】
請求項１１の組立家屋の組立方法は、複数のパネルガイド本体を有するモジュールパネルガイドを床面に敷設する工程と、前記モジュールパネルガイドの少なくとも一つのコーナ部において、平面視で互いに角度をなして前記モジュールパネルガイドに立設されたモジュールパネルを、工具或は指により操作してモジュールパネル同士を引寄せるよう締結する固定手段により接続してモジュールパネルを倒れることなく自立するよう立設させると共に、順次他のモジュールパネルを前記モジュールパネルガイド上に立設させ、立設されたモジュールパネルを、工具或は指により操作してモジュールパネル同士を引寄せるよう締結する固定手段により接続する工程と、立設されたモジュールパネル上に複数の天井フレームを設置する工程と、該天井フレームに複数の天井パネルを搭載する工程とを経るものである。
【００２３】
本発明の組立家屋及び該組立家屋の組立方法によれば、モジュールパネルをモジュールパネルガイドに組立てる際には、隣合うモジュールパネルが角度を持って接続されるよう、モジュールパネルガイドのコーナ部からモジュールパネルを立設するようにしているため、コーナ部に組立てられて、レンチ等の工具や指１本の操作によりモジュールパネル同士を引寄せるようにしたパネル固定手段により締結されたコーナ部のモジュールパネルは強固に接続され、倒れることなく自立状態とすることができる。
【００２４】
又、引き続き順次、幅方向へ並列される他のモジュールパネルもレンチ等の工具や指１本の操作によりモジュールパネル同士を引寄せるようにしたパネル固定手段により締結されるため、幅方向へ隣合うモジュールパネルも倒れることなく自立状態で、強固に接続することができる。
【００２５】
更に、モジュールパネルの接続は、レンチ等の工具や指１本により操作することのできるパネル固定手段によりモジュールパネル同士を引寄せ締結することにより接続するようにしているため、間仕切り用のモジュールパネルの接続部のコーキング接着工事やビス等の開口を設ける工事、タップ立てをするための電動工具を用いて行う工事等が不要となり、作業が簡単となる。
【００２６】
又更に、モジュールパネルガイド、モジュールパネル、天井フレーム、天井パネル等の各部品は、モジュール化することにより、部品の搬送、組立てを台車やジャッキ等の機器を用いることなく少人数でしかも短時間で行うことができる。
【００２７】
更に又、モジュールパネルガイド、モジュールパネル、天井フレーム、天井パネル等の各部品は小型且つ軽量であるため、これら各部品の組立てを台車やジャッキ等の機器を用いたり、立設のための控えを取ったりすることなく、３〜４人程度の作業員により短時間で行うことができる。
【００２８】
以上によりモジュールパネルの組立て、延いては組立家屋の組立てを短い工期で容易且つ迅速に行うことができ、省人化及び組立能率の向上を図ることができる。
【００２９】
又、モジュールパネルガイド上へのモジュールパネルの立設、モジュールパネル同士の組付け、モジュールパネル上への天井フレームの取付けは、互いの突条部と溝状部とで行われるため、簡単な構造でモジュール化された部品同士を強固に固定することができる。
【００３０】
【発明の実施の形態】
以下、本発明の実施の形態を添付図面を参照して説明する。
図１〜図３１は本発明を実施する形態の一例である。
図１、図２は本発明の組立方法により組立てられた組立家屋を示す。
組立家屋１は床面２に平面視で無端の額縁状に敷設したモジュールパネルガイド３と、モジュールパネルガイド３上に立設されて壁を構成するモジュールパネル４，５とモジュールパネル４，５の上端に設置された天井フレーム６，７と、天井フレーム６，７に搭載した天井パネル８，９と、天井フレーム７の中央部に搭載されたＨＥＰＡフィルタ、ＵＬＰＡフィルタ等の高性能フィルタ１０を備えたボックス１１と、ボックス１１に空調ダクト１２を介して接続された空調ユニット１３を備えている。なお、図中、イは高性能フィルタ１０を通って組立家屋１内に吹込まれた清浄空気、ロは組立家屋１から空調ユニット１３へ排気される空気である。
【００３１】
モジュールパネルガイド３の詳細は図３〜図５に示され、図中、１４，１５はパネルガイド本体である。パネルガイド本体１４，１５は何れも突条部が上方へ突出するハット型断面形状に形成され、パネルガイド本体１４はコーナ部を形成するため、平面視がＬ形に形成されており、パネルガイド本体１５はコーナ部間の部分を形成するため、直線状に形成されている。
【００３２】
Ｌ型のパネルガイド本体１４の両先端部には、後端部がハット型断面内に挿入されると共に、先端部がパネルガイド本体１５側へ向けて突出するよう、角鋼製の位置決め部材１６が固設されており、パネルガイド本体１４，１５の敷設時に位置決め部材１６をパネルガイド本体１５のハット型断面内に挿入することにより、パネルガイド本体１４，１５を連結し得るようになっている。又、パネルガイド本体１４，１５のフランジ部下面には、パネルガイド本体１４，１５を床面２に固定し得るよう、両面テープ１７，１８が接着されている。
【００３３】
モジュールパネル４の詳細例は、図６〜図１０に示されており、壁面コーナ部の４箇所に設置するためのものである。而して、モジュールパネル４は矩形板状のパネル本体１９と、パネル本体１９の全周縁部に断面３角形状のパネル本体支持部材２０，２１を介して取付けられた額縁状のパネル本体取付け部材２２と、パネル本体取付け部材２２の縦部材２２ａ（図６参照）の一方に取付けられた支柱２３を備えている。支柱２３の高さは、パネル本体取付け部材２２の高さと同一である。又、支柱２３は予め組立てられており、モジュールパネル４と一体である。
【００３４】
パネル本体１９は例えば、ガラス、プラスチックにより形成したり、薄い発泡材を心材として鉄板やアルミ板で被覆したり、図１０に示すようにドア２４とすることもできる。又、パネル本体１９には窓ガラスを取付けることもできる。図１０において、２５はドア２４を取付けるために、パネル本体取付け部材２２の内周部に取付けたドア枠である。
【００３５】
パネル本体支持部材２０，２１及びパネル本体取付け部材２２は例えばアルミニュウムの引抜き材或は押出し材である。而して、パネル本体取付け部材２２は図８に拡大して示すように、断面が中空のＨ形状に形成され、部材の対向する内側、外側両面に凹状をなすよう形成された溝状部２６，２７を備えている。パネル本体取付け部材２２の内周側に形成した溝状部２６にはパネル本体１９の周縁を表裏から押えた三角形状のパネル本体支持部材２０，２１の脚部２０ａ，２１ａが挿入され、パネル本体１９はパネル本体支持部材２０，２１を介してパネル本体取付け部材２２に固定され、支持されるようになっている。
【００３６】
又、パネル本体取付け部材２２の外周側に形成した溝状部２７のうち、左右一方の縦部材２２ａの溝状部２７には、支柱２３の側面に上下に延在するよう設けた突条部２３ａが嵌合することにより、支柱２３とパネル本体取付け部材２２を連結し得るようになっている。図８中、２３ｂは突条部２３ａに対し平面視で９０度角度を異ならしめて支柱２３の側面に上下に延在するよう設けた突条部である。
【００３７】
更に、支柱２３の上端部側には、図９に示すように、突条部２３ａ，２３ｂの上端部を所定寸法だけ切欠いて溝状部２８ａ，２８ｂが形成されている。
【００３８】
モジュールパネル５の詳細は、図１１、図１２に示されており、壁面中間部の４箇所及び壁面コーナ部の４箇所、合計８箇所に設置すためのものである。而して、モジュールパネル５は互いに連結されると共に、モジュールパネル４の支柱２３に設けた突条部２３ｂを介し、モジュールパネル４に連結し得るようになっている。なお、モジュールパネル５の数量は、例えば全体がＬ字型になっている場合や辺が長い場合には合計８箇所に限定されるものではない。
【００３９】
すなわち、モジュールパネル５は矩形板状のパネル本体２９と、パネル本体２９の全周縁部に断面３角形状のパネル本体支持部材３０，３１を介して取付けられた額縁状のパネル本体取付け部材３２と、パネル本体取付け部材３２の左右の縦部材３２ａ（図１１参照）のうち、一方の縦部材３２ａの外側に突出するよう設けられた後述の嵌合部材３３を備えている。嵌合部材３３は縦部材３２ａと一体化されている。
【００４０】
パネル本体２９は例えば、ガラス、プラスチックにより形成したり、薄い発泡材を心材として鉄板やアルミ板で被覆したり、ドアとすることもできる。又、パネル本体２９には窓ガラスを取付けることもできる。
【００４１】
パネル本体支持部材３０，３１及びパネル本体取付け部材３２は、前述のパネル本体支持部材２０，２１及びパネル本体取付け部材２２と同一構成で、例えばアルミニュウムの引抜き材或は押出し材である。而して、パネル本体取付け部材３２は図８に拡大して示すパネル本体取付け部材２２の場合と同様、断面が中空のＨ形状に形成され（図１２参照）、パネル取付け部材３２の対向する内側、外側両面に凹状をなすよう形成された溝状部３４，３５を備えている。而して、パネル本体取付け部材３２の内周側に形成した溝状部３４にはパネル本体２９の周縁を表裏から押えた三角形状のパネル本体支持部材３０，３１の脚部３０ａ，３１ａが挿入され、パネル本体２９はパネル本体支持部材３０，３１を介してパネル本体取付け部材３２に固定され、支持されるようになっている。
【００４２】
又、パネル本体取付け部材３２の外周側に形成した溝状部３５のうち、左右一方の縦部材３２ａの溝状部３５には、隣合うモジュールパネル５の溝状部３５に嵌合するか、或は、モジュールパネル５とは反対側で隣合うモジュールパネル４の溝状部２７に嵌合し得るよう、外側端部が溝状部３５から外方へ突出する前記嵌合部材３３が嵌合されて固定されている。なお、モジュールパネル４，５は製作条件によって若干相違するが、概略高さ２０００ｍｍ、幅１０００ｍｍ程度である。
【００４３】
隣合うモジュールパネル４とモジュールパネル５の締結、モジュールパネル５同士の締結に使用するパネル固定手段の一例は図１３に示されている。すなわち、パネル固定手段３６は一対の固定手段本体３７，３８を備え、固定手段本体３７は偏心軸に取付けられた回動可能なフック状のアーム３９を備え、固定手段本体３８はアーム３９の先端部が係合して隣合うモジュールパネル４，５、モジュールパネル５同士の締結を行うための水平ピン４０を備えている。
【００４４】
而して、図１３に示す場合は、例えば、固定手段本体３７はモジュールパネル５，４のパネル本体取付け部材３２，２２の上下複数箇所に取付けられ、固定手段本体３８はモジュールパネル５のパネル本体取付け部材３２の上下複数箇所に固定手段本体３７と対向するよう取付けられている。モジュールパネル４と該モジュールパネル４に対し平面視で直角となるよう配置されたモジュールパネル５との締結も、図１３に示すと同様なパネル固定手段３６を用いて行い得るようになっている。
【００４５】
天井フレーム６，７の詳細は図１４〜図１８に示されている。
天井フレーム６は、図１４に示すように、平面視で天井フレーム７を間に置いて前後部に対称的に配置された２組の天井フレーム６を備え、各天井フレーム６は、第一水平部材４１と第一水平部材４１の両端部で第一水平部材４１に対し直角に接続された第二水平部材４２を備えて第一水平部材４１と第二水平部材４２により平面視でコの字状に形成され、対向する左右の第二水平部材４２同士は、長手方向中間部において第三水平部材４３により接続されている。
【００４６】
天井フレーム７は、２組の天井フレーム６間に配置されるようになっており、天井フレーム６の第二水平部材４２の延長線上に位置し得るようにした左右の第一水平部材４４と、左右の第一水平部材４４同士を接続する前後２本の第二水平部材４５と、第二水平部材４５同士を接続する左右２本の第三水平部材６５を備えている。
【００４７】
水平部材４１〜４５，６５は、例えばアルミニュウムの引抜き材或は押出し材で、図１５に示すごとくその断面形状は略中空正方形状の基部部材４６と略中空正方形状の基部部材４６上に一体的に立設されて基部部材４６よりも幅の狭い中空状の長方形状の補強部材４７を備え、基部部材４６の底面中央部には、下端が開口した溝状部４６ａが形成され、基部部材４６の左右上側部には、左右が開口した溝状部４６ｂが形成され、補強部材４７の上端部には、上端が開口した溝状部４７ａが形成されている。溝状部４７ａにはボルト４８をセットし得るようになっている。
【００４８】
天井フレーム６の第二水平部材４２と第三水平部材４３との接続部、及び天井フレーム７の第一水平部材４４と第二水平部材４５との接続部、第二水平部材４５と第三水平部材６５の接続部には、樹脂製の補強部材４９が下側から取付けられると共に、ボルト４８を介して止付ける後述の押え板５３が上側から取付けられ、水平部材４２，４３、水平部材４４，４５、水平部材４５，６５を接続し得るようになっている。
【００４９】
補強部材４９は図１７に示すように、中空矩形状の長辺部材５０と長辺部材５０の長手方向中間部に接続される中空矩形状の短辺部材５１を備えて平面視でＴ形状をなすと共に、上面が開口している。
【００５０】
而して、長辺部材５０の長手方向両端部には、底部内面から上方へ突出する縦突起５０ａ、左右両側上部から内側に突出する水平突起５０ｂが形成されており、短辺部材５１の長辺部材５０とは反対側の端部には、底部内面から上方へ突出する縦突起５１ａ、左右両側上部から内側に突出する水平突起５１ｂが形成されている。
【００５１】
而して、補強部材４９を各水平部材４２，４３、水平部材４４，４５、水平部材４５，６５を接続するよう、水平部材４２，４３、水平部材４４，４５、水平部材４５，６５に嵌合した場合には、縦突起５０ａ，５１ａは基部部材４６の溝状部４６ａに係合し、水平突起５０ｂ，５１ｂは基部部材４６の溝状部４６ｂに係合し得るようになっている。
【００５２】
各水平部材４１，４２，４４の基部部材４６の下面には、補強部材４９と干渉しないよう、突条部が下端に向けて突出するハット型断面形状のレール部材５２が固設されている（図１５、図１６参照）。
【００５３】
天井フレーム６の第二水平部材４２と第三水平部材４３との接続部における補強部材４９取付け位置上方、及び天井フレーム７の第一水平部材４４と第二水平部材４５との接続部における補強部材４９取付け位置上方、並びに天井フレーム７の第二水平部材４５と第三水平部材６５との接続部における補強部材４９取付け位置上方には、補強部材４７の上端に位置するよう平面視でＴ形状の押え板５３が配設されている。又、押え板５３はボルト４８及びナット５４により両補強部材４７に締結され、天井フレーム６の第二水平部材４２と第三水平部材４３、及び天井フレーム７の第一水平部材４４と第二水平部材４５、第二水平部材４５と第三水平部材６５とを接続し得るようになっている（図１４、図１８参照）。
【００５４】
但し、図１８には天井フレーム７側の締結状態は図示してないが、天井フレーム７側の第一水平部材４４と第二水平部材４５との接続及び第二水平部材４５と第三水平部材６５との接続も、図１８に示すと同様の構成の押え板５３をボルト締結することにより行い得るようになっている。
【００５５】
天井フレーム６の第一水平部材４１と第二水平部材４２との接続部における補強部材４７の上端には、平面視でＬ形状の押え板５５が配設され、押え板５５はボルト４８及びナット５４により補強部材４７に締結され、天井フレーム６の第一水平部材４１と第二水平部材４２とを接続し得るようになっている（図１８参照）。
【００５６】
天井パネル８，９の詳細は図３０、図３１に示されている。而して、天井パネル８，９は例えば、発泡系心材をカラー鋼板により被覆したものが用いられ、天井フレーム６，７の基部部材４６間に配置して基部部材４６の上面により支持されるようになっている。天井パネル８，９の基部部材４６上面により搭載される両端下面にはパッキン５６が固設されている。
【００５７】
又、図３１に示すように、ボックス１１は高性能フィルタ１０の周縁部に固設した支持部材５７を介して天井フレーム７の基部部材４６に搭載されるが、支持部材５７の下面にはパッキン５８が固設されている。
【００５８】
図１、図２に示すように、空調ユニット１３は、コンプレッサ５９とファン６０と直膨コイル６１と電気ヒータ６２とファン６３と電力調整器６４等を備えており、空調ユニット１３のケーシング６６と所定のモジュールパネル５の壁部とは短管状のダクト６７により接続され、組立家屋１から排気された空気ロをケーシング６６内に導入し得るようになっている。
【００５９】
次に、上記図示例の組立家屋１の組立て方を説明する。
先ず、例えば両面テープ１７，１８の裏紙を剥がしてないパネルガイド本体１４，１５を床面２の所定位置に組付けた状態で配置し、しかる後、現物合せで墨入れを行い、パネルガイド本体１４，１５の両面テープ１７，１８の裏紙を剥がし、墨入れに合わせてパネルガイド本体１４，１５を床面２上に配置し、両面テープ１７，１８を介しパネルガイド本体１４，１５を床面２に固設する。この場合、パネルガイド本体１４の位置決め部材１６はパネルガイド本体１５の中空のハット部に嵌合し、パネルガイド本体１４，１５は位置決めされると共に、パネルガイド本体１４，１５により無端状のモジュールパネルガイド３が形成される（図３、図１９参照）。
【００６０】
モジュールパネルガイド３が敷設されたら、モジュールパネルガイド３の一コーナ部におけるハット型断面形状の突条部に、モジュールパネル５の下辺部を形成するパネル本体取付け部材３２の下端に延在する溝状部３５を外嵌させて、モジュールパネル５をモジュールパネルガイド３に立設する（図１９、図２０（ａ）（ｂ）、図２３、図２５参照）。
【００６１】
又、モジュールパネルガイド３の一コーナ部にモジュールパネル５が立設されたら、モジュールパネル５に対し９０度角度が異なるよう、モジュールパネル４を立設する。すなわち、モジュールパネルガイド３の一コーナ部における前記ハット型断面形状の突条部とは９０度角度の異なるハット型断面形状の突条部に、モジュールパネル４を形成するパネル本体取付け部材２２の下端に延在する溝状部２７を外嵌させると共に、モジュールパネル４の支柱２３の縦方向へ延在する突条部２３ｂを、モジュールパネル４に近接するモジュールパネル５の縦向きのパネル本体取付け部材３２の溝状部３５に嵌合し、モジュールパネル４をモジュールパネルガイド３に立設し、固定手段本体３７，３８を締結してモジュールパネル４，５を一体的に接続する（図１９、図２１（ａ）（ｂ）、図２３、図２４、図２５参照）。なお、図２４では支柱２３とモジュールパネル４とを分離して表わしているが、実際は一体である。
【００６２】
固定手段本体３７，３８の締結は、固定手段本体３７の孔３７ａにレンチ等の工具の先端を嵌合して操作することにより行う。固定手段本体３７，３８の締結時には、モジュールパネル５，４は互に引寄せられるため、強固に接続される。
【００６３】
このように、モジュールパネル５，４をモジュールパネルガイド３のコーナ部から立設して固定手段本体３７，３８により接続することにより、モジュールパネル５，４は、基部を取付けに時間を要するビス等で締結しなくても、自立状態となり、倒れることはない。
【００６４】
モジュールパネル５，４がコーナ部に立設されたら、モジュールパネル４と平行に隣合うモジュールパネル５をモジュールパネルガイド３のハット型断面形状の突条部に立設する。すなわち、モジュールパネルガイド３のハット型断面形状の突条部に、モジュールパネル５の下辺部を形成するパネル本体取付け部材３２の下端に延在する溝状部３５を外嵌させると共に、モジュールパネル４におけるパネル本体取付け部材２２の縦方向へ延在する溝状部２７にモジュールパネル５の嵌合部材３３を嵌合させて、モジュールパネル５をモジュールパネルガイド３に立設し、固定手段本体３７，３８を締結して隣合うモジュールパネル４，５を一体的に接続する（図１９、図２２（ａ）（ｂ）、図２３、図２５参照）。この場合にも、隣合うモジュールパネル５，４は互に引寄せられるため、強固に接続される。
【００６５】
以下、前述したと同様にして順次モジュールパネル４，５をモジュールパネルガイド３上に立設し、隣合うモジュールパネル４，５又は、モジュールパネル５，５を固定手段本体３７，３８を締結して接続する。而して、モジュールパネルガイド３全周にモジュールパネル４，５を立設すると、モジュールパネル４，５は図２６に示すような配置となる。なお、モジュールパネル４，５はモジュールパネルガイド３上に複数枚ずつ配置されるが、同じ符号でも同一の構造とは限らない。しかし、モジュールパネル４は支柱２３を備えており、モジュールパネル５は支柱２３を備えていない。
【００６６】
モジュールパネルガイド３上にモジュールパネル４，５が立設されて接続されたら、モジュールパネル４，５上に、工場等で図１４に示すごとき形状に製作された天井フレーム６，７を搭載する。すなわち、天井フレーム６をモジュールパネル４，５の上辺部におけるパネル本体取付け部材２２，３２に設置すると、基部部材４６の下面に取付けたレール部材５２の下端に突出するハット型断面形状の突条部が、パネル本体取付け部材２２，３２の溝状部２７，３５に嵌入し、天井フレーム６はモジュールパネル４，５の上縁に取付けられる。又、同様にして、天井フレーム７及びもう一つの天井フレーム６もモジュールパネル４，５の上縁に取付けられる（図２６、図２７（ａ）（ｂ）、図２８、図２９参照）。このように、天井フレーム６，７のハット型断面形状の突条部がモジュールパネル４，５の上縁に水平に延在する溝状部２７，３５に嵌合するため、モジュールパネル４，５と天井フレーム６，７とは強固に接続される。
【００６７】
なお、天井フレーム６，７により形成される四隅のコーナ部においては、レール部材５２の下端に突出するハット型断面形状の部分は、支柱２３上端に形成した溝状部２８ａ，２８ｂ（図９参照）を通ることになる。
【００６８】
モジュールパネル４，５の上縁に天井フレーム６，７が設置されたら、天井パネル８，９を、基部部材４６の上面に支持されるよう、天井フレーム６，７に搭載すると共に、同様に、下面に高性能フィルタ１０が取付けられたボックス１１を天井フレーム７に搭載する（図３０、図３１参照）。
【００６９】
又、ボックス１１が天井フレーム７に搭載されたら、ボックス１１に空調ダクト１２の一端を接続し、空調ダクト１２の他端を空調ユニット１３のファン６３に接続し、所定のモジュールパネル５の壁部に形成した開口とケーシング６６とをダクト６７により接続する。以上で本図示例の組立家屋１の組立てが完了する。
【００７０】
組立てられた組立家屋１は例えばクリーンルームとして使用される。すなわち、空調ユニット１３で空調処理された空調空気はファン６３から空調ダクト１２、ボックス１１を経て高性能フィルタ１０により清浄化され、清浄空気イとして組立家屋１に吹込まれ、組立家屋１に吹込まれた清浄空気イは、組立家屋１内の塵埃等を同伴して組立家屋１内を清浄化し、ダクト６７から空調ユニット１３へ戻り、再び上述したと同様に空調処理されて空調ダクト１２から組立家屋１内に循環、送給される。
【００７１】
本発明の図示例においては、モジュールパネル４，５をモジュールパネルガイド３に組立てる際には、隣合うモジュールパネル４，５が角度を持って接続されるよう、モジュールパネルガイド３のコーナ部からモジュールパネル４，５を立設するようにしているため、コーナ部に組立てられて、レンチ等の工具の操作によりモジュールパネル４，５同士を引寄せるようにしたパネル固定手段３６により締結されたコーナ部のモジュールパネル４，５は強固に接続され、倒れることなく自立状態とすることができる。
【００７２】
又、引き続き順次、幅方向へ並列される他のモジュールパネル５もレンチ等の工具の操作によりモジュールパネル４，５同士を引寄せるようにしたパネル固定手段３６により締結されるため、幅方向へ隣合うモジュールパネル４，５も倒れることなく自立状態で、強固に接続することができる。
【００７３】
上述のように、モジュールパネル４，５の接続は、レンチ等の工具により操作することのできるパネル固定手段３６によりモジュールパネル４，５やモジュールパネル５，５を引寄せ締結することにより接続するようにしているため、コーキング材の工事やビス等の開口を設ける工事、タップ立てをするための電動工具を用いて行う工事等が不要となり、作業が簡単となる。
【００７４】
又、モジュールパネルガイド３、モジュールパネル４，５、天井フレーム６，７、天井パネル８，９等の各部品は、モジュール化することにより、部品の搬送、組立てを台車やジャッキ等の機器を用いることなく少人数でしかも短時間で行うことができる。
【００７５】
更に、モジュールパネルガイド３、モジュールパネル４，５、天井フレーム６，７、天井パネル８，９等の各部品は小型且つ軽量であるため、これら各部品の組立てを台車やジャッキ等の機器を用いることなく、３〜４人程度の作業員により短時間で行うことができる。
【００７６】
従って以上によりモジュールパネルの組立て、延いては組立家屋の組立てを短い工期で容易且つ迅速に行うことができ、省人化及び組立能率の向上を図ることができる。
【００７７】
更に又、モジュールパネル４，５はパネル本体取付け部材２２，３２の下部の水平な溝状部２７，３５を介してモジュールパネルガイド３のハット型の部分に嵌合し、モジュールパネル４，５はモジュールパネル４，５の縦向きの溝状部２７，３５を介してモジュールパネル５の嵌合部材３３に嵌合することにより接続され、コーナ部においては、モジュールパネル４は縦向きの突条部２３ｂを介して、モジュールパネル５の縦向きの３２の溝状部３５に嵌合することにより接続され、天井フレーム６，７は基部部材４６の下面に下方へ向けて突条部が設けられたレール部材５２を介してモジュールパネル４，５の水平な溝状部２７，３５に嵌合している。すなわち、モジュールパネルガイド３上へのモジュールパネル４，５の立設、モジュールパネル４，５、モジュールパネル５，５同士の組付け、モジュールパネル４，５上への天井フレーム６，７の設置は、互いの突条部と溝状部により行われるため、簡単な構造でモジュール化された各部品同士を強固に固定することができる。
【００７８】
図３２及び図３３（ａ）（ｂ）（ｃ）（ｄ）は本発明の組立家屋に用いるモジュールパネルガイド３の他の実施例である。本図示例では、モジュールパネルガイド３の四辺の直線部を形成するパネルガイド本体１５は予めシート６８の上面に寸法出しして貼着されている。斯かる構成とすると、パネルガイド本体１５が貼着されたシート６８を図３３（ｂ）（ｃ）（ｄ）に示すごとく折り畳むことができ、又、墨出しが簡単になるのでパネルガイド本体１５の敷設場所への搬送及び設置がより一層容易となる。
【００７９】
本図示例でシート６８を四つに折畳んだ際には、パネルガイド本体１５はシート６８を介して平行且つ重なった状態となる。又、本図示例のパネルガイド本体１５を用いる場合には、コーナ部に用いる図３、図４に示すパネルガイド本体１４は、直角部で分割して２個にするか、パネルガイド本体１４には位置決め部材１６を設けず、パネルガイド本体１５の両端に位置決め部材１６を設けるようにする。
【００８０】
隣合うモジュールパネル４とモジュールパネル５の締結、モジュールパネル５同士の締結に使用するパネル固定手段の他の例は図３４、図３５に示されている。すなわち、パネル固定手段６９は、一対の固定手段本体７０，７１を備え、固定手段本体７０は、例えば、モジュールパネル５又は４のパネル本体取付け部材３２又は２２表側面に固設されたブラケット７２と、ブラケット７２に水平方向へ回動可能に枢支されたレバー７３と、レバー７３の長手方向中途部に水平方向へ回動可能に枢支されたブロック７４と、ブロック７４に固設されて固定手段本体７１側へ突出するガイド７５と、ガイド７５の先端側に摺動自在に嵌合された係止体７６と、ブロック７４と係止体７６とを連結し且つ係止体７６をブロック７４側へ引張る弾性体であるばね７７とを備えており、固定手段本体７１は、モジュールパネル５のパネル本体取付け部材３２表側面に固設され且つ固定手段本体７０の係止体７６が係止し得るようにしたフック状の被係止体７８を備えている。
【００８１】
而して、図３４、図３５に示す場合は、例えば、固定手段本体７０はモジュールパネル５，４のパネル本体取付け部材３２，２２の上下複数箇所に取付けられ、固定手段本体７１はモジュールパネル５のパネル本体取付け部材３２の上下複数箇所に固定手段本体３７と対向するよう取付けられている。モジュールパネル４と該モジュールパネル４に対し平面視で直角となるよう配置されたモジュールパネル５との締結も、図３４、図３５に示すと同様なパネル固定手段６９を用いて行い得るようになっている。
【００８２】
図３４、図３５に示す固定手段本体７０を用いる場合にも、モジュールパネルガイド３にモジュールパネル４が立設されたら、隣合うモジュールパネル５をモジュールパネルガイド３のハット型断面形状の突条部に立設する。
【００８３】
すなわち、図１９、図２０（ａ）（ｂ）に示すように、モジュールパネルガイド３のハット型断面形状の突条部に、モジュールパネル５の下辺部を形成するパネル本体取付け部材３２の下端に延在する溝状部３５を外嵌させると共に、パネル本体取付け部材２２の縦方向へ延在する溝状部２７にモジュールパネル５の嵌合部材３３を嵌合させて、モジュールパネル５をモジュールパネルガイド３に立設し、１本の指により図３４に示す固定手段本体７０のレバー７３を操作して係止体７６を固定手段本体７１の被係止体７８に係止させることにより、固定手段本体７０，７１を図３５に示すように締結して隣合うモジュールパネル４，５を一体的に接続する。
【００８４】
このように、固定手段本体７０を指１本により操作して、隣合うモジュールパネル５同士、又はモジュールパネル５とモジュールパネル４を一体的に接続することができるため、モジュールパネル５同士、又はモジュールパネル５とモジュールパネル４の接続をより一層迅速且つ確実に行うことができ、組立てを短時間で効率的に行うことができる。
【００８５】
なお、本発明の組立家屋及び組立家屋の組立方法においては、各部品の突条部と相手部品の溝状部とを係合させることにより各部品を組立てる場合について説明したが、突条部と溝状部とは設ける部品を逆にしても実施できる。例えば、モジュールパネルガイド３のハット型断面形状の突条部に替えて溝状部を設け、モジュールパネル４，５の溝状部２７，３５に替えて突条部を形成しても良い。又、モジュールパネルガイド３は無端状に設置する場合について説明したが、扉の設置位置では省略することもできる。更に、モジュールパネル４，５は１箇所のコーナ部から組立てを開始する場合について説明したが、２箇所又は３箇所若しくは４箇所のコーナ部にモジュールパネル４，５を平面視でＬ形状に組立てた後、他のモジュールパネル４，５を組立てるようにしても実施可能である。
【００８６】
【発明の効果】
以上、説明したように本発明の請求項１〜１１記載の組立家屋及び組立家屋の組立方法によれば、下記のごとき種々の優れた効果を奏し得る。
Ｉ）モジュールパネルをモジュールパネルガイドに組立てる際には、隣合うモジュールパネルが角度を持って接続されるよう、モジュールパネルガイドのコーナ部からモジュールパネルを立設するようにしているため、コーナ部に組立てられて、レンチ等の工具や指１本の操作によりモジュールパネル同士を引寄せるようにしたパネル固定手段により締結されたコーナ部のモジュールパネルは強固に接続され、倒れることなく自立状態とすることができる。
ＩＩ）又、引き続き順次、幅方向へ並列される他のモジュールパネルもレンチ等の工具や指１本の操作によりモジュールパネル同士を引寄せるようにしたパネル固定手段により締結されるため、幅方向へ隣合うモジュールパネルも倒れることなく自立状態で、強固に接続することができる。
ＩＩＩ）モジュールパネルの接続は、レンチ等の工具や指１本により操作することのできるパネル固定手段によりモジュールパネル同士を引寄せ締結することにより接続するようにしているため、コーキング材の工事やビス等の開口を設ける工事、タップ立てをするための電動工具を用いて行う工事等が不要となり、作業が簡単となる。
ＩＶ）モジュールパネルガイド、モジュールパネル、天井フレーム、天井パネル等の各部品は、モジュール化することにより、部品の搬送、組立てを台車やジャッキ等の機器を用いることなく少人数でしかも短時間で行うことができる。
Ｖ）モジュールパネルガイド、モジュールパネル、天井フレーム、天井パネル等の各部品は小型且つ軽量であるため、これら各部品の組立てを台車やジャッキ等の機器を用いることなく、３〜４人程度の作業員により短時間で行うことができる。
ＶＩ）以上によりモジュールパネルの組立て、延いては組立家屋の組立てを短い工期で容易且つ迅速に行うことができ、省人化及び組立能率の向上を図ることができる。
ＶＩＩ）モジュールパネルガイド上へのモジュールパネルの立設、モジュールパネル同士の組付け、モジュールパネル上への天井フレームの取付けは、互いの突条部と溝状部とで行われるため、簡単な構造でモジュール化された部品同士を強固に固定することができる。
【図面の簡単な説明】
【図１】本発明の組立方法により組立てた本発明の組立家屋の全体斜視図である。
【図２】図１のＩＩ−ＩＩ方向矢視図である。
【図３】本発明の組立家屋に用いるモジュールパネルガイドの斜視図である。
【図４】図３に示すモジュールパネルガイドの一コーナ部のパネルガイド本体を分割して示す斜視図である。
【図５】図３のＶ−Ｖ方向矢視図である。
【図６】本発明の組立家屋に用いるモジュールパネルの一例の正面図である。
【図７】図６のＶＩＩ−ＶＩＩ方向矢視図である。
【図８】図７のＶＩＩＩ部拡大図である。
【図９】図８の部分の部品を一部分解した状態で示す斜視図である。
【図１０】図６のＶＩＩ−ＶＩＩ方向矢視図に相当するモジュールパネルの他の例である。
【図１１】本発明の組立家屋に用いるモジュールパネルの他の例の正面図である。
【図１２】図１１のＸＩＩ−ＸＩＩ方向矢視図である。
【図１３】隣合うモジュールパネルの接続に用いるパネル固定手段の一例を示す斜視図である。
【図１４】本発明の組立家屋に用いる天井フレームの平面図である。
【図１５】図１４のＸＶ−ＸＶ方向矢視図である。
【図１６】図１４のＸＶＩ−ＸＶＩ方向矢視図である。
【図１７】図１６に示す固定金具の拡大斜視図である。
【図１８】図１４に示す天井フレームのうち、前後両端に設置する天井フレームの一部を分解して示す斜視図である。
【図１９】本発明の組立家屋において、床面にモジュールパネルガイドを敷設して後、モジュールパネルガイドにモジュールパネルを組立てて行く状態を示す斜視図である。
【図２０】図１９のＸＸ部の拡大図で、（ａ）はモジュールパネルにおける下辺部のパネル本体取付け部材下面に形成した溝状部を、モジュールパネルガイドのハット型断面形状の突条部に嵌合する前の状態を示す断面図であり、（ｂ）はモジュールパネルにおける下辺部のパネル本体取付け部材下面に形成した溝状部を、モジュールパネルガイドのハット型断面形状の突条部に嵌合した状態を示す断面図である。
【図２１】図１９のＸＸＩ部の拡大図で、（ａ）は支柱を備えていないモジュールパネルの縦のパネル本体取付け部材の外周部に形成した溝状部を、支柱を備えているモジュールパネルの支柱外周部に形成した突条部に嵌合する前の状態を示す断面図であり、（ｂ）は支柱を備えていないモジュールパネルの縦のパネル本体取付け部材の外周部に形成した溝状部を、支柱を備えているモジュールパネルの支柱外側面に形成した突条部に嵌合した状態を示す断面図である。
【図２２】図１９のＸＸＩＩ−ＸＸＩＩ部の拡大図で、（ａ）はモジュールパネルの縦向きのパネル本体取付け部材における外周部の溝状部に設けた嵌合部材を、並列配置された隣合うモジュールパネルの縦向きのパネル本体取付け部材における外周側の溝状部に嵌合する前の状態を示す断面図であり、（ｂ）はモジュールパネルの縦向きのパネル本体取付け部材における外周側の溝状部に設けた嵌合部材を、並列配置された隣合うモジュールパネルの縦向きのパネル本体取付け部材における外周側の溝状部に嵌合した状態を示す断面図である。
【図２３】モジュールパネルガイドに取付けられるモジュールパネルの配置状態をイメージ的に示す斜視図である。
【図２４】図２３において、直交するよう配置されたモジュールパネルの直交部の部品を一部分解して示す斜視図である。
【図２５】図２３に示すモジュールパネルをモジュールパネルガイドに取付けた状態を示す斜視図である。
【図２６】モジュールパネルガイドに立設したモジュールパネル上に天井フレームを搭載する状態を示す斜視図である。
【図２７】図２６のＸＸＶＩＩ部の拡大図で、（ａ）は天井フレームがモジュールパネルの上縁部に搭載される前の状態を示す断面図、（ｂ）は天井フレームにおけるレール部材の下に向けた突条部がモジュールパネルのパネル本体取付け部材の上縁部上面に形成した溝状部に嵌合することにより、天井フレームがモジュールパネルに搭載された状態を示す断面図である。
【図２８】本発明の組立家屋において、モジュールパネルの上縁に天井フレームが搭載された状態を示す斜視図である。
【図２９】図２８のＸＸＩＸ方向矢視図である。
【図３０】本発明の組立家屋において、天井パネルを天井フレームに搭載する前の状態を示す斜視図である。
【図３１】本発明の組立家屋において、天井パネルを天井フレームに搭載した状態を示す断面図である。
【図３２】本発明の組立家屋に用いるモジュールパネルガイドの他の例で、直線部のパネルガイド本体をシートに貼着した状態を示す斜視図である。
【図３３】図３２に示すパネルガイド本体が貼着された方形のシートを折畳む順序を示す正面図で、（ａ）はシートを折畳む前の状態を示す平面図、（ｂ）は方形のシートを対角線に沿い折曲げてシートが三角形状に折畳まれた状態を示す平面図、（ｃ）は（ｂ）の状態から三角形の頂点を基準に折曲げて更に小さく折畳み、４本のパネルガイド本体がシートを介し全て平行に重ねられた状態を示す平面図、（ｄ）は（ｃ）の状態からパネルガイド本体がシートに包まれるよう、シートを巻込んだ状態を示す正面図である。
【図３４】隣合うモジュールパネルの接続に用いるパネル固定手段の他の例を示す平面図で、固定手段本体の係止体が、固定手段本体の被係止体に係止していない状態を示す平面図である。
【図３５】隣合うモジュールパネルの接続に用いるパネル固定手段の他の例を示す平面図で、固定手段本体の係止体が、固定手段本体の被係止体に係止している状態を示す平面図である。
【符号の説明】
１    組立家屋
２    床面
３    モジュールパネルガイド
４    モジュールパネル
５    モジュールパネル
６    天井フレーム
７    天井フレーム
８    天井パネル
９    天井パネル
１０    高性能フィルタ（フィルタ）（ＨＥＰＡフィルタ）（ＵＬＰＡフィルタ）
１３    空調ユニット（空調手段）
１４    パネルガイド本体
１５    パネルガイド本体
２３ａ                突条部
２３ｂ                突条部
２７    溝状部
３３    嵌合部材
３５    溝状部
３６    パネル固定手段
６８    シート
６９    パネル固定手段
【図１】
2004324267.tif 000003
【図２】
2004324267.tif 000004
【図３】
2004324267.tif 000005
【図４】
2004324267.tif 000006
【図５】
2004324267.tif 000007
【図６】
2004324267.tif 000008
【図７】
2004324267.tif 000009
【図８】
2004324267.tif 000010
【図９】
2004324267.tif 000011
【図１０】
2004324267.tif 000012
【図１１】
2004324267.tif 000013
【図１２】
2004324267.tif 000014
【図１３】
2004324267.tif 000015
【図１４】
2004324267.tif 000016
【図１５】
2004324267.tif 000017
【図１６】
2004324267.tif 000018
【図１７】
2004324267.tif 000019
【図１８】
2004324267.tif 000020
【図１９】
2004324267.tif 000021
【図２０】
2004324267.tif 000022
【図２１】
2004324267.tif 000023
【図２２】
2004324267.tif 000024
【図２３】
2004324267.tif 000025
【図２４】
2004324267.tif 000026
【図２５】
2004324267.tif 000027
【図２６】
2004324267.tif 000028
【図２７】
2004324267.tif 000029
【図２８】
2004324267.tif 000030
【図２９】
2004324267.tif 000031
【図３０】
2004324267.tif 000032
【図３１】
2004324267.tif 000033
【図３２】
2004324267.tif 000034
【図３３】
2004324267.tif 000035
【図３４】
2004324267.tif 000036
【図３５】
2004324267.tif 000037